(57)【特許請求の範囲】
【請求項１】
第１の通信部と、
前記第１の通信部とは異なる無線通信を行う第２の通信部と、
前記第１の通信部にて相手端末と通信を開始して第１の認証データを送信し、前記相手端末から第２の認証データを前記第２の通信部にて受信すると、前記第１の認証データと前記第２の認証データとが一致するか否かを判定し、一致すれば前記第２の通信部による所定のデータ通信を開始する制御部と、
を有することを特徴とする携帯無線端末。
【請求項２】
記憶部を更に有し、
前記制御部は、
前記記憶部に格納されている所定のファイルを前記第１の認証データとして前記第１の通信部にて前記相手端末へ送信する
ことを特徴とする請求項１に記載の携帯無線端末。
【請求項３】
前記所定のファイルは自端末内で生成されたファイルである
ことを特徴とする請求項２に記載の携帯無線端末。
【請求項４】
前記制御部は、
前記所定のファイルが、過去に送信したことのないファイル、もしくは送信したことのあるファイルであれば送信回数の少ないファイルを選択し、前記第１の通信部にて前記相手端末へ送信する
ことを特徴とする請求項２または請求項３に記載の携帯無線端末。
【請求項５】
前記制御部は、
前記所定のファイルがダウンロードファイルであれば、送信回数の少ないダウンロードファイルを選択して前記第１の通信部にて前記相手端末へ送信する
ことを特徴とする請求項４に記載の携帯無線端末。
【請求項６】
前記所定のファイルは、
前記第２の通信部による前記所定のデータ通信が確立、あるいは切断されると、前記相手端末にて削除されるファイルである
ことを特徴とする請求項２から請求項５のいずれか１項に記載の携帯無線端末。
【請求項７】
前記所定のファイルは、前記相手端末にて、データ閲覧アプリによる閲覧不可とされるファイルである
ことを特徴とする請求項２から請求項６のいずれか１項に記載の携帯無線端末。
【請求項８】
前記制御部は、
ファイルの共有セッションの確立を前記所定のデータ通信として実行する
ことを特徴とする請求項２から請求項７のいずれか１項に記載の携帯無線端末。
【請求項９】
前記制御部は、
前記所定のファイルが過去に送信したことのあるファイル、もしくはダウンロードファイルであれば、セキュリティ性が低くなることを報知する
ことを特徴とする請求項２から請求項５のいずれか１項に記載の携帯無線端末。
【請求項１０】
撮像部を更に備え、
前記制御部は、
前記記憶部に前記所定のファイルが存在しない場合、前記撮像部による撮影を行い、当該撮影により取り込まれたファイルを前記所定のファイルとして前記第１の通信部にて前記相手端末へ送信する
ことを特徴とする請求項２から請求項９のいずれか１項に記載の携帯無線端末。
【請求項１１】
第１の通信部と、
前記第１の通信部とは異なる無線通信を行う第２の通信部と、
前記第１の通信部にて相手端末と通信を開始して第１の認証データを送信すると、前記第２の通信部を起動する制御部と、
を有することを特徴とする携帯無線端末。
【請求項１２】
第１の通信部と、
前記第１の通信部とは異なる無線通信を行う第２の通信部と、
前記第１の通信部にて相手端末と通信を開始して第１の認証データを受信すると、前記第２の通信部を起動する制御部と、
を有することを特徴とする携帯無線端末。
【発明の詳細な説明】
【技術分野】
【０００１】
本発明は、ファイルの共有を行うことができる赤外線通信機能を備えた携帯無線端末に関するものである。
【背景技術】
【０００２】
ＰＣ（Personal Computer）の分野ではファイルの共有は従来から頻繁に行われている。例えば、各端末間での識別情報を生成することよりデータの共有を確保する方法が知られている（例えば、特許文献１参照）。
【０００３】
また、携帯電話等の携帯無線端末の分野では、未だ市場には流通してはいないものの、一方の端末でキーワードからなるセキュリティ情報を入力することにより電話番号やアドレス等のデータ共有セキュリティを確保する携帯端末装置が特許出願されている（例えば、特許文献２参照）。
【特許文献１】特開２００２−２５９３３２号公報
【特許文献２】特開２００７−５９２１号公報
【発明の開示】
【発明が解決しようとする課題】
【０００４】
しかしながら、上記した特許文献１、２に開示された技術によれば、いずれも認証番号等の登録を必要とするために使い勝手が悪く、あるいはユーザに特別な技術スキルを要求する場合がある。
【０００５】
本発明の目的は、使い勝手の向上をはかり、ユーザに特別な技術スキルを要することなくファイルの共有を実現可能な、携帯無線端末を提供することにある。
【課題を解決するための手段】
【０００６】
本発明の携帯無線端末は、第１の通信部と、前記第１の通信部とは異なる無線通信を行う第２の通信部と、前記第１の通信部にて相手端末と通信を開始して第１の認証データを送信し、前記相手端末から第２の認証データを前記第２の通信部にて受信すると、前記第１の認証データと前記第２の認証データとが一致するか否かを判定し、一致すれば前記第２の通信部による所定のデータ通信を開始する制御部と、を有する。
【０００７】
また、本発明の携帯無線端末において、記憶部を更に備え、前記制御部は、前記記憶部に格納されている所定のファイルを前記第１の認証データとして前記第１の通信部にて前記相手端末へ送信するものである。
【０００８】
また、本発明の携帯無線端末において、好適には、前記所定のファイルは自端末内で生成されたファイルである。
【０００９】
また、好適には、前記制御部は、前記所定のファイルが、過去に送信したことのないファイル、もしくは送信したことのあるファイルであれば送信回数の少ないファイルを選択し、前記第１の通信部にて前記相手端末へ送信する。
【００１０】
また、好適には、前記制御部は、前記所定のファイルがダウンロードファイルであれば、送信回数の少ないダウンロードファイルを選択して前記第１の通信部にて前記相手端末へ送信する。
【００１１】
好適には、前記所定のファイルは、前記第２の通信部による前記所定のデータ通信が確立、あるいは切断されると、前記相手端末にて削除されるファイルである。
【００１２】
また、好適には、前記所定のファイルは、前記相手端末にて、データ閲覧アプリによる閲覧不可とされるファイルである。
【００１３】
また、本発明の携帯無線端末において、前記制御部は、ファイルの共有セッションの確立を前記所定のデータ通信として実行してもよい。
【００１４】
また、本発明の携帯無線端末において、前記制御部は、前記所定のファイルが過去に送信したことのあるファイル、もしくはダウンロードファイルであれば、セキュリティ性が低くなることを報知してもよい。
【００１５】
また、本発明の携帯無線端末は、第１の通信部と、前記第１の通信部とは異なる無線通信を行う第２の通信部と、前記第１の通信部にて相手端末と通信を開始して第１の認証データを送信すると、前記第２の通信部を起動する制御部と、を有する。
また、本発明の携帯無線端末は、第１の通信部と、前記第１の通信部とは異なる無線通信を行う第２の通信部と、前記第１の通信部にて相手端末と通信を開始して第１の認証データを受信すると、前記第２の通信部を起動する制御部と、を有する。
【発明の効果】
【００１６】
本発明の携帯無線端末によれば、使い勝手の向上がはかれ、ユーザに特別な技術スキルを要することなくファイルの共有を実現することができる。
【発明を実施するための最良の形態】
【００１７】
図１は、本発明の実施の形態に係る携帯無線端末の外観構造の一例を示す図である。ここでは、携帯無線端末として折り畳み型の携帯電話１０を想定している。
【００１８】
図１に示されるように、携帯電話１０は、上部筐体１０１と、下部筐体１０２と、ヒンジ部１０３とを有する。
【００１９】
図１（ａ）は、携帯電話１０が開かれた状態（開状態）を示した図であり、図１（ｂ）は携帯電話１０が折り畳まれた状態（閉状態）を示した図である。
【００２０】
図１（ａ）に示されるように、上部筐体１０１には、図１（ｂ）に示す携帯電話１０の閉状態においては外部には露出しない一面に表示部１４が配置されている。また、開状態において上部筐体１０１の天井の部位には後述する赤外線通信部１８の赤外線受発光部１８１が実装されている。
なお、赤外線受発光部１８１の実装部位は、上部筐体１０１の天井位置に限らず任意である。
また、図１（ａ）に示されるように、下部筐体１０２には、図１（ｂ）に示す携帯電話１０の閉状態において外部には露出しない一面に操作部１２が配置されている。
【００２１】
ヒンジ部１０３は、上部筐体１０１と下部筐体１０２とを開閉し、図１（ａ）に示す携帯電話１０の開状態と図１（ｂ）に示す閉状態とを遷移可能とする回転軸を有するヒンジ機構である。
なお、携帯電話１０の開状態／閉状態は、後述する制御部１７により監視されており、制御部１７は携帯電話１０の閉状態を検出することが可能である。
具体的には、例えば上部筐体１０１に配置した図示しない突起部により、下部筐体１０２の図示しない検出スイッチが押しているか否かを制御部１７が監視することにより閉状態を検出している。すなわち、検出スイッチが押下されていれば閉状態、そうでなければ開状態と判定される。なお、開閉検出は、スイッチに限らず、各種センサであってもよい。
【００２２】
図２は、本発明の実施の形態に係る携帯無線端末の電気系の内部構成を示すブロック図である。
【００２３】
図２に示されるように、携帯電話１０は、制御部１７を制御中枢とし、基地局通信部１１、操作部１２、音声入出力部１３、表示部１４、撮像部１５、記憶部１６、制御部１７、そして、本発明の構成の「第１の通信部」としての赤外線通信部１８、本発明の構成の「第２の通信部」としての無線ＬＡＮ（Local Area Network）通信部１９のそれぞれが、アドレス、データ、コントロールのためのラインが複数本からなるシステムバス２０に共通に接続され、構成される。
【００２４】
基地局通信部１１は、無線通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ等である。
【００２５】
操作部１２は、例えば、電源キー、通話キー、数字キー、文字キー、方向キー（左右上下）、決定キー、発信キー、ファンクションキーなど、各種の機能が割り当てられたキーを有している。
操作部１２は、これらのキーが操作者によって操作された場合に、その操作内容に対応する信号を発生し、これを操作者の指示として制御部１７に出力する。
【００２６】
音声入出力部１３は、スピーカから出力される音声信号やマイクロフォンにおいて入力される音声信号の入出力処理を行う。
すなわち、音声入出力部１３は、マイクロフォンから入力された音声を増幅し、アナログ−デジタル変換を行い、更に符号化等の信号処理を施し、デジタルの音声データに変換して制御部１７に出力する。
また、音声入出力部１３は、制御部１７により生成される音声データに復号化、デジタル−アナログ変換、増幅等の信号処理を施し、アナログの音声信号に変換してスピーカに出力する。
【００２７】
表示部１４は、多数の画素（複数色の発光素子の組み合わせ）を縦横に配して構成される、例えばＬＣＤ（Liquid Crystal Display Device）や有機ＥＬ（Electro-Luminescence）を用いて構成されており、制御部１７により生成され記憶部１６の所定の領域（ＶＲＡＭ領域）に書き込まれた表示データに応じた画像を表示する。
表示部１４は、例えば、基地局通信部１１による無線発信時における発信先の電話番号、着信時における発信元の電話番号、受信メールや送信メールの内容、Ｗｅｂページ、日付、時刻、電池残量、発信成否、文書、待ち受け画面等を表示する。
【００２８】
撮像部１５は、ＣＣＤ(Charge Coupled Device)やＣＭＯＳ(Complementary Metal Oxide Semiconductor)イメージセンサ等の光電変換素子とその制御回路等により構成されるカメラである。
【００２９】
記憶部１６は、携帯電話１０の各種処理に利用される各種データを記憶する。
記憶部１６は、例えば、制御部１７が実行するコンピュータのプログラム（後述するＯＳ（Operating System）やアプリケーションプログラム）の他に、撮像部１５により撮影された画像ファイル、基地局通信部１１を介して不図示の外部接続サーバから取得したダウンロードファイルが記憶されている。
また、記憶部１６は、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータ等も記憶されている。
なお、記憶部１６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３０】
赤外線通信部１８は、赤外線を使用してデータを転送する通信規格であるＩｒＤＡ（Infrared data Association）に準拠して、例えば、データ転送速度２４００〜１１５．２ｋｂｐｓ、最長通信距離１ｍの近距離無線通信を実現する、本発明の構成の「第１の通信部」として機能する。
ここでは、赤外線通信による通信可能距離、およびその指向性の狭さがセキュリティ性に有利に作用することからこの赤外線通信をトリガに、後述する無線ＬＡＮあるいは他の通信手段によるファイル共有を実現する構成としている。
【００３１】
無線ＬＡＮ通信部１９は、ＩＥＥＥ８０２．１１規格に準拠してアクセスポイント経由で近距離無線通信を実現する、本発明の構成の「第２の通信部」として機能し、例えば、１１Ｍｂｐｓのデータ転送速度を実現する。
なお、無線ＬＡＮ通信部１９は、Ｂｌｕｅｔｏｏｔｈ（登録商標）による近距離無線通信デバイスで代用してもよい。さらには、ＣＤＭＡ等の公衆通信網への接続手段でもよい。
【００３２】
なお、制御部１７は、携帯電話１０の全体的な動作を統括的に制御する。
すなわち、制御部１７は、携帯電話１０の各種処理が操作部１２の操作に応じて適切な手順で実行されるように、上述した各ブロックの動作を制御する。
ここで、各種処理とは、例えば、回線交換網を介して行われる音声通話、電子メールの作成と送受信、インターネットのＷｅｂ（World Wide Web）サイトの閲覧などをいう。また、各ブロックの動作とは、例えば、基地局通信部１１における信号の送受信、音声入出力部１３における音声入出力、表示部１４における画像の表示、撮像部１５における撮像処理等をいう。
制御部１７は、記憶部１６に格納されたプログラムに基づいて処理を実行するコンピュータ（マイクロプロセッサ）を備えており、このプログラムにおいて指示された手順に従って上述した制御を実行する。
すなわち、制御部１７は、記憶部１６に格納されるＯＳやアプリケーションプログラム等のプログラムから命令コードを順次読み込んで処理を実行する。
【００３３】
制御部１７は、ここでは更に、赤外線通信にて相手端末と通信を開始するとともに第１の認証データを送信する。そして、相手端末から第２の認証データを無線ＬＡＮ通信部１９にて受信すると、第１の認証データと第２の認証データとが一致するか否かを判定し、一致すれば無線ＬＡＮ通信部１９による所定のデータ通信を開始する機能を有する。
【００３４】
ここで、「第１の認証データ」とは、自端末内で生成された所定のファイルである。さらに、この「所定のファイル」とは、過去に送信したことのないファイル、もしくは送信したことのあるファイルであれば送信回数の少ないファイルとする。
また、所定のファイルがネットワーク上からダウンロードしたファイルであれば、送信回数の少ないダウンロードファイルとする。また、所定のファイルが存在しない場合、撮像部１５にて新たに撮影して取り込まれたファイルを所定のファイルとして赤外線通信部１８にて相手端末へ送信するものとする。
【００３５】
なお、上記した所定のファイルは、相手端末にて、赤外線通信アプリからデータ閲覧アプリに対して転送されないファイルであり、データ閲覧アプリからは閲覧できないようになっている。また、所定のファイルは、無線ＬＡＮ通信部１９による所定のデータ通信が確立し、あるいは切断されると、相手端末にて削除されるものとする。
また、制御部１７は、所定のファイルが過去に送信したことのあるファイル、もしくはダウンロードファイルであれば、セキュリティ性が低くなることを報知するとともに、ファイルの共有セッションの確立を所定のデータ通信として実行するものである。
【００３６】
図３は、図２に示す制御部１７が実行するプログラムの構造を周辺のハードウェアブロックとともに概念的に示したブロック図である。なお、ここでいう周辺のハードウェアブロックとは、基地局通信部１１、記憶部１６、赤外線通信部１８、無線ＬＡＮ通信部１９をいう。
【００３７】
図３に示されるように、制御部１７（が実行するプログラム）は、基本ソフトであるＯＳ１７０を核に、ＩｒＤＡアプリ１７１、Ｗ（Wireless）−ＬＡＮアプリ１７２、通話アプリ１７３のそれぞれがアドオンされている。このため、ＯＳ１７０から、赤外線通信部１８、無線ＬＡＮ通信部１９、基地局通信部１１のために実装されたＩｒＤＡドライバ１８０、Ｗ−ＬＡＮドライバ１９０、ＣＤＭＡ（Code Division Multiple Access）ドライバ１１０のそれぞれがＯＳ１７０により呼び出され、それぞれによる通信が行われる構造になっている。
【００３８】
なお、記憶部１６の作業領域には、ＯＳ１７０により参照される認証データ１６０、およびユーザ間で共有の対象とする共有フォルダ１６１が割当てられ格納されている。
【００３９】
制御部１７は、プラットフォームであるマイクロプロセッサがＯＳ１７０の管理の下で上記した各種アプリケーションプログラム１７１〜１７３を記憶部１６から読み出し実行する。
制御部１７は、これらアプリケーションプログラム１７１〜１７３のそれぞれを実行する際、上記した各種ドライバ１１０、１８０、１９０にしたがい、赤外線通信部１８、無線ＬＡＮ通信部１９、基地局通信部１１を制御する。そして、赤外線通信にて相手端末と通信を開始して第１の認証データを送信する。その後、データ受信を待ち受け、相手端末から第２の認証データを第２の通信部（無線ＬＡＮ通信部１９）にて受信すると、第１の認証データと第２の認証データとが一致するか否かを判定する。ここで、データが一致すれば、第２の通信部による所定のデータ通信を開始する手順を実行するものである。
【００４０】
図４は、本発明の実施の形態に係る携帯無線端末の動作を示すシーケンスフロー図であり、自端末（携帯電話Ａ）と、相手端末（携帯電話Ｂ）との間のデータの送受信の流れが示されている。
なお、以降の説明では、携帯電話Ａが有する構成ブロックと携帯電話Ｂが有する構成ブロックとの差異を表現するために、携帯電話が有する構成ブロックの符号の後にサフィックスａを付し、携帯電話Ｂが有する構成ブロックの符号の後にサフィックスｂを付して説明する。
以下、図４のシーケンスフローを参照しながら、図１〜図３に示した本発明の実施の形態に係る携帯無線端末の動作について詳細に説明する。
【００４１】
まず、ユーザは、待受け時、携帯電話Ａの表示部１４ａに表示される携帯メニューの中から操作部１２ａを操作することにより「赤外線メニュー」を選択し、その中から共有開始のサブメニューを選択する（ステップＳ１０１）。
これを受けた制御部１７ａは、記憶部１６ａの所定の領域に格納されてある共有フォルダ１６１内のフォトファイル等をランダムに選択し、もしくは容量が比較的軽いフォトファイル等を、ユーザ設定、あるいは自動的に選択されるファイルを第１の認証データとして、赤外線通信部１８ａを介して予め赤外線受信設定済みの携帯電話Ｂ（赤外線通信部１８ｂ）に赤外線送信を行う（ステップＳ１０２）。
なお、このとき、認証データとともに携帯電話Ｂに対する無線ＬＡＮ起動要求も送信し、同時に、自身においても無線ＬＡＮを起動するために無線ＬＡＮ通信部１９ａを制御する（ステップＳ１０３）。
【００４２】
なお、ステップＳ１０２において、制御部１７ａが、記憶部１６ａに格納された共有フォルダ１６１内のファイル（第１の認証データ）を選択送信するにあたり、以下の（１）〜（４）に列挙する優先度順にしたがい、最も転送容量の少ないものを選択して赤外線送信するものとする。
既に撮像部１５により撮影され記憶部１６ａに登録済みの写真であり、送信履歴が無いフォトファイル、
既に撮像部１５ａにより撮影され記憶部１６ａに登録済みの写真であり、送信履歴はあるが送信回数が比較的少ないフォトファイル、
Ｗｅｂ（World Wide Web）からダウンロード取得して記憶部１６ａに登録済みの送信履歴の無いファイル、
Ｗｅｂからダウンロード取得して記憶部１６ａに登録済みの送信履歴のあるファイルであって送信回数が比較的少ないファイル。
【００４３】
また、携帯電話Ａ（制御部１７ａ）は、上記した（１）〜（４）に列挙したいずれのファイルが選択されたかにより、共有開始時に相手方の携帯電話Ｂの表示部１４ｂにセキュリティレベルを表示するものとする。
また、記憶部１６ａに、上記した（１）〜（４）以外のファイルしか登録されていなかった場合は、携帯電話Ｂの表示部１４ｂにセキュリティ上の注意喚起のための表示を行い、共有するか否かの確認画面を表示して、ファイルを共有するか否かにつきユーザの意思表示を確認する必要がある。
なお、ファイルが全く登録されていない、あるいは著作権等により保護されているファイル等、赤外線送信が不可のファイルしか記憶部１６に登録されていない場合は、自身の表示部１４ａにその旨を表示する。そして、直ちに撮像部１５ａを起動してフォト撮影を行い、取得した画像を携帯電話Ｂ（赤外線通信部１８ｂ）に赤外線送信するものとする。
【００４４】
一方、認証データを含む無線ＬＡＮ起動要求を自身の赤外線通信部１８ｂにより受信した携帯電話Ｂは（ステップＳ１０４）、制御部１７ｂが受信した認証データを記憶部１６ｂに保存する。
なお、受信した認証データはユーザに認識させることなく、受信した認証データを不可視として記憶部１６ｂの一時フォルダ内に保存する（ステップＳ１０５）。すなわち、認証データは、ＩｒＤＡアプリケーション１７１から不図示のデータ閲覧アプリに対して転送されないファイルである。あるいは、制御部１７ｂは、認証データのアドレスをデータ閲覧アプリに通知しない。
続いて、制御部１７ｂは、無線ＬＡＮ通信部１９ｂを起動し（ステップＳ１０６）、最も電波状態が良い携帯無線端末に接続するための検索を行う（ステップＳ１０７）。なお、携帯電話Ａが無線ＬＡＮ起動要求を発行するときに自身のＩＰアドレスを通知すればこの検索は不要になる。
【００４５】
端末検索処理を終えた携帯電話Ｂ（制御部１７ｂ）は、記憶部１６ｂの一時記憶フォルダ内に保存した認証データを第２の認証データとして無線ＬＡＮ通信部１９ｂにより携帯電話Ａ（無線ＬＡＮ通信部１９ａ）に無線ＬＡＮ通信を行う。
続いて、接続確認を行った携帯電話Ａ（ステップＳ１０８）は、制御部１７ａにて、先に送信した認証データ（第１の認証データ）と受信した認証データ（第２の認証データ）とを照合する（ステップＳ１０９）。
ここで、同一ファイルであると認識された場合、携帯電話Ａと携帯電話Ｂとの間で「共有フォルダ」の共有を開始し、記憶部１６ａの共有フォルダ１６１に登録されてある、例えば、フォトアルバム等のフォトファイルを携帯電話Ａ（無線ＬＡＮ通信部１９ａ）と携帯電話Ｂ（無線ＬＡＮ通信部１９ｂ）との間で無線ＬＡＮにより相互に交換し（ステップＳ１１０、Ｓ１１１）、一方、同一ファイルでないと認識された場合、制御部１７ａは、無線ＬＡＮ通信部１９ａを制御して携帯電話Ｂとの間の無線ＬＡＮ通信を切断する（ステップＳ１１２）。
【００４６】
なお、携帯電話Ａにて自身の無線ＬＡＮ起動時（ステップＳ１０３）、制御部１７ａが内蔵するタイマをスタートさせ（ステップＳ１１３）、例えば、５分等、あらかじめ共有フォルダ１６１の共有時間を設定し、時間監視することで、同一認証データを保有する他者からのセキュリティを確保することができる。
例えば、何らかの方法で同一認証データを所有し、無線ＬＡＮでの接続要求があったとしてもタイムアウトを検出した後は（ステップＳ１１４）、同一認証データであっても接続は行われない（ステップＳ１１５）。逆に、タイムアウトまでは同一データに基づく再接続に応じることができる。なお、一度接続が切断されると、同一データであっても接続しない仕様であればタイムアウト設定の必要はない。
【００４７】
また、共有フォルダ１６１の共有終了後（ステップＳ１１６）、携帯電話Ｂ（制御部１７ｂ）は、携帯電話Ａ（制御部１７ａ）から共有切断情報を受信し、記憶部１６ｂの一時フォルダに保存していた不可視状態の認証データ（ファイル）を削除することにより認証データが残らないためセキュリティ性を高めることができる（ステップＳ１１７）。
【００４８】
以上説明のように本発明の実施の形態に係る携帯無線端末によれば、見えている相手としか通信できないことからセキュリティ性に優れた赤外線通信を契機に、無線ＬＡＮ等の近距離無線通信を起動することにより、フォルダ共有等データ操作を容易に行うことができ、セキュリティパスワード等を必要とすることか無いためユーザの負担が軽減され、データの共有およびデータ操作を容易に実現できる。また、このとき、赤外線により自分より知りえない認証データを送信し、その返答を確認して共有の可否を判定することにより更なるセキュリティ性の向上が見込まれる。
【００４９】
また、無線ＬＡＮやＢｌｕｅｔｏｏｔｈ（登録商標）に比較的なじまないユーザにとっても、この無線ＬＡＮやＢｌｕｅｔｏｏｔｈ（登録商標）を、従来からある電話帳交換のために使用していた赤外線通信の拡充といったイメージで容易に使用することができる。このようにユーザの使い勝手の向上をはかり、ユーザに特別な技術スキルを要することなくファイルの共有を実現することができる。
【００５０】
なお、上記した本発明の実施の形態に係る携帯無線端末として携帯電話１０を例示したが、携帯電話１０に限らず、ＰＤＡ（Personal Digital Assistants）、やゲーム機等にも同様に適用が可能である。
【００５１】
また、図２に示す制御部１７が有する機能は、全てをソフトウェアによって実現しても、あるいはその少なくとも一部をハードウェアで実現してもよい。
例えば、赤外線通信（赤外線通信部１８）にて相手端末と通信を開始するとともに第１の認証データを送信し、相手端末から第２の認証データを第２の通信部（無線ＬＡＮ通信部１９ａ）にて受信すると、第１の認証データと第２の認証データとが一致するか否かを判定し、一致すれば第２の通信部による所定のデータ通信を開始する制御部１７におけるデータ処理は、１または複数のプログラムによりコンピュータ上で実現してもよく、また、その少なくとも一部をハードウェアで実現してもよい。
【図面の簡単な説明】
【００５２】
【図１】本発明の実施の形態に係る携帯無線端末の外観構造の一例を示す図である。
【図２】本発明の実施の形態に係る携帯無線端末の電気系の内部構成を示すブロック図である。
【図３】図２に示す制御部が実行するプログラムの構造を周辺ハードウェアブロックとともに概念的に示したブロック図である。
【図４】本発明の実施の形態に係る携帯無線端末の動作を示すシーケンスフロー図である。
【符号の説明】
【００５３】
１０…携帯電話、１１…基地局通信部、１２…操作部、１３…音声入出力部、１４…表示部、１５…撮像部、１６…記憶部、１７…制御部、１８…赤外線通信部、１９…無線ＬＡＮ通信部、２０…システムバス、１１０…ＣＤＭＡドライバ、１６０…認証データ、１６１…共有フォルダ、１７１…ＩｒＤＡアプリ、１７２…Ｗ−ＬＡＮアプリ、１７３…通話アプリ、１８０…ＩｒＤＡドライバ、１８１…赤外線受発光部、１９０…無線ＬＡＮドライバ。
【図１】
0005158496.tif 000002
【図２】
0005158496.tif 000003
【図３】
0005158496.tif 000004
【図４】
0005158496.tif 000005